(57)【要約】      （修正有）【課題】ＬＥＤラインライト及び当該ＬＥＤラインライトに用いられるＬＥＤ部品を提供する。【解決手段】ＬＥＤラインライト及び当該ＬＥＤラインライトに用いられるＬＥＤ部品であって、ＬＥＤラインライトは、複数のＬＥＤ部品と導線セットを含み、ＬＥＤ部品が、絶縁本体１、絶縁本体に固定され、且つ、導線セットに接続する導電端子２、及び、絶縁本体に設置されている発光ＬＥＤチップ４及び制御ユニット５を含み、絶縁本体に、内へ凹む切り欠き１１が設置されており、導線セットが、少なくとも切り欠きを通り抜ける第一導線を含み、第一導線が、切り欠きの位置で切断部を形成する。【選択図】図３
0003234434.tif 000002
【実用新案登録請求の範囲】
【請求項１】
複数のＬＥＤ部品及び複数のＬＥＤ部品を接続してＬＥＤラインライトを形成する導線セットを含み、
前記ＬＥＤ部品が、
絶縁本体と、
前記絶縁本体に固定され、且つ、前記導線セットに接続する導電端子と、
前記絶縁本体に設置されている発光ＬＥＤチップ及び制御ユニットと、を含み、
前記絶縁本体に、内へ凹む切り欠きが設置されており、
前記導線セットが、少なくとも前記切り欠きを通り抜ける第一導線を含み、
前記第一導線が、前記切り欠きの位置で切断部を形成して、前記切り欠きを通り抜けない導線を切断しないことを特徴とするＬＥＤラインライト。
【請求項２】
前記導電端子が、前記切り欠きの両側に位置する第一導電端子及び第二導電端子を含み、
前記第一導線が、前記第一導電端子及び前記第二導電端子が所属する直線に沿って通り抜け、且つ、第一導電端子及び第二導電端子と電気的に接続していることを特徴とする請求項１に記載のＬＥＤラインライト。  
【請求項３】
前記導電端子が、少なくとも、前記第一導電端子と、前記第二導電端子と、第三導電端子と、第四導電端子とを含み、
前記導線セットが、少なくとも前記第一導線と第二導線とを含み、
前記第二導線が、相次いで全ての前記ＬＥＤ部品上の前記第三導電端子及び前記第四導電端子に接続しており、
前記第一導電端子及び前記第二導電端子が所属する直線が、前記第三導電端子及び前記第四導電端子が所属する直線と平行であることを特徴とする請求項２に記載のＬＥＤラインライト。  
【請求項４】
前記導電端子が、前記第一導電端子と、前記第二導電端子と、第三導電端子と、第四導電端子と、第五導電端子と、第六導電端子とを含み、
前記導線セットが、前記第一導線と、第二導線と、第三導線とを含み、
前記第二導線が、相次いで全ての前記ＬＥＤ部品上の前記第三導電端子及び前記第四導電端子に接続しており、
前記第三導線が、相次いで全ての前記ＬＥＤ部品上の前記第五導電端子及び前記第六導電端子に接続しており、
前記第一導電端子及び前記第二導電端子が所属する直線、前記第三導電端子及び前記第四導電端子が所属する直線、及び  前記第五導電端子及び前記第六導電端子が所属する直線が、互いに平行であることを特徴とする請求項２に記載のＬＥＤラインライト。  
【請求項５】
前記絶縁本体に、二つの切り欠きが設置されており、
前記二つの切り欠きが、前記絶縁本体の相対的な両側に設置されており、
前記導線セットが、前記二つの切り欠きの中の一つの切り欠きを通り抜ける前記第一導線と、前記二つの切り欠きの中の他の一つの切り欠きを通り抜ける第四導線とを含み、
前記第一導線及び前記第四導線が、前記切り欠きの位置で前記切断部を形成することを特徴とする請求項２に記載のＬＥＤラインライト。
【請求項６】
前記導電端子が、前記第一導電端子と、前記第二導電端子と、第三導電端子と、第四導電端子と、第五導電端子と、第六導電端子と、第七導電端子と、第八導電端子を含み、
前記導線セットが、前記第一導線と、第二導線と、第三導線と、第四同線とを含み、
前記第一導線が、前記二つの切り欠きの中の前記一つの切り欠きの両側に位置する前記第一導電端子及び前記第二導電端子を通り抜け、且つ、前記切り欠きの位置で前記切断部を形成し、
前記第二導線が、相次いで全ての前記ＬＥＤ部品上の前記第三導電端子及び前記第四導電端子に接続しており、
前記第三導線が、相次いで全ての前記ＬＥＤ部品上の前記第五導電端子及び前記第六導電端子を通り抜け、
前記第四導線が、前記二つの切り欠きの中の前記一つの切り欠きの両側に位置する前記第七導電端子及び前記第八導電端子を通り抜け、且つ、前記切り欠きの位置で前記切断部を形成し、
前記第一導電端子及び前記第二導電端子が所属する直線、前記第三導電端子及び前記第四導電端子が所属する直線、前記第五導電端子及び前記第六導電端子が所属する直線、及び  前記第七導電端子及び前記第八導電端子が所属する直線が、互いに平行であることを特徴とする請求項５に記載のＬＥＤラインライト。  
【請求項７】
絶縁本体と、
前記絶縁本体に固定され、且つ、ＬＥＤラインライトの導線セットに接続する導電端子と、
前記絶縁本体に設置されている発光ＬＥＤチップ及び制御ユニットと、を含み、
前記絶縁本体に、内へ凹む切り欠きが設置されており、
前記切り欠きの両側に、それぞれ前記導電端子が設置されていることを特徴とする請求項１のＬＥＤラインライトに用いられるＬＥＤ部品。
【請求項８】
前記絶縁本体の表面に、内へ凹む格納チャンバーが設置されており、
前記格納チャンバー内に、前記導電端子に対応する導電チップが設置されており、
前記切り欠きが、前記格納チャンバーの位置を避け、且つ、前記絶縁本体の表面及び底面を貫通することを特徴とする請求項７に記載のＬＥＤ部品。  
【請求項９】
前記導電端子が、前記切り欠きの両側に位置する第一導電端子及び第二導電端子を含み、
前記第一導電端子及び前記第二導電端子が所属する直線が切り欠きを通り抜けることを特徴とする請求項７に記載のＬＥＤ部品。  
【請求項１０】
前記絶縁本体に、二つの切り欠きが設置されており、
前記二つの切り欠きが、前記絶縁本体の相対的な両側に設置されていることを特徴とする請求項７に記載のＬＥＤ部品。
【考案の詳細な説明】
【技術分野】
【０００１】
本考案は、ＬＥＤライトの技術分野に関わり、特に、ＬＥＤラインライト及び当該ＬＥＤラインライトに用いられるＬＥＤ部品に関わる。
【背景技術】
【０００２】
ＬＥＤ部品が、一般にＬＥＤ電球又はＬＥＤ光源を指し、通常の状況の下で、組み込んで一つのブラケット及びブラケットにカプセ化されたＬＥＤチップを含む。現在、ＲＧＢ光源を採用するＬＥＤ部品が、制御チップユニットが内蔵する必要があるので、二つ以上のピンがある。このＬＥＤ部品のブラケットが、一般に一つの絶縁本体（例えば、プラスチック台座又は陶磁台座）を含む。絶縁本体に、一つの格納チャンバーが設置されていて、絶縁本体に若干の導電ピンが固定されていて、ピンの一端が、格納チャンバーに伸びて  接触端を形成し、ピンのその他の一端が、絶縁本体の外表面（一般に底面である）に伸びて溶接部（ランドとも称する）を形成する。生産時に、ＬＥＤチップと制御チップユニットを、格納チャンバーに固定し、且つ、導線を通して各ピンの接触端に接続し、最後にカプセル化用の透明プラスチック材料を、格納チャンバーに注入することによって、カプセル化を完成して、ＬＥＤ部品を形成する。
【考案の概要】
【考案が解決しようとする課題】
【０００３】
前記ＬＥＤ部品の製品で、ＬＥＤラインライトを製作する時に、複数のＬＥＤ部品を、直接に導線セットに溶接することによって、一つのＬＥＤラインライトを形成する必要がある。前記導線セットが少なくとも電源導線と信号導線を含む。この製品製造プロセスの特殊性により、生産を便利にする為に、導線の全長で全部連続し、若干のＬＥＤ部品を接続し、即ち、すべてのＬＥＤ部品を、並列接続する。但し、彩色ＬＥＤラインライト製品にとって、各ＬＥＤ部品の光源色合い変換を実現する為に、これに対して、相応な制御信号を入力しなければならない。もう一方で、制御信号が、直列接続で伝送され、制御信号が、信号導線を通して、一つ目のＬＥＤ部品から二つ目のＬＥＤ部品に伝送されてから、二つ目のＬＥＤ部品から出力された後、三つ目のＬＥＤ部品に伝送される。前記述べたように、生産プロセス中において、生産を便利にする為に、すべてのＬＥＤ部品でのブラケットが、直接に信号導線に接続することによって、すべてのＬＥＤ部品が並列接続するようにする。従って、直列接続信号の伝送を実現する為に、前記並列接続信号を、直列接続信号に変更して、製品での使用に備え、信号導線におけるＬＥＤ部品の入力端子と出力端子との間にせん断しなければならない。生産後期で、信号導線のせん断作業を実施すると、ＬＥＤブラケットが一般に長方形又は円形等の造形設計を採用して、その溶接部が殆ど一つの平面であるので、根本的にせん断作業を実施し難い。生産前期で信号導線をせん断してから、一つひとつの信号導線の部分を形成した後、ＬＥＤ部品の信号伝送導電端子の間に、信号導線の部分を通して溶接を行う。これで操作が一層面倒になり、且つ、線材自身の材料応力により、せん断後信号導線の部分の末端が、一つの相対的に平らな表面に保持できなくなる。これで、表面実装溶接プロセス中に、溶接漏れ又は溶接不堅牢の状況が発生し易く、最後に  ＬＥＤ部品製品不良率が高く、生産コストを大きく向上させる。
【０００４】
これに鑑みて、本考案は、下記の技術案を提出した。
【課題を解決するための手段】
【０００５】
前記問題点を解決でき、上記目的を達成するために、本考案のＬＥＤラインライトは、下記の構成部分、即ち、複数のＬＥＤ部品及び複数のＬＥＤ部品を接続して、ＬＥＤラインライトを形成する導線セットを含み、前記ＬＥＤ部品が、下記の構成部分、即ち、絶縁本体、絶縁本体に固定され、且つ、導線セットに接続する導電端子及び、絶縁本体に設置されている発光ＬＥＤチップと制御ユニットを含み、下記の特徴、即ち、前記絶縁本体に、内へ凹む切り欠きが設置されていて、前記導線セットが少なくとも、当該切り欠きを通す第一導線を含み、且つ、当該第一導線が、前記切り欠き位置で切断部を形成して、切り欠きを通り抜けない導線を切断しないことである。
【０００６】
前記端子が下記の構成部分、即ち、切り欠き両側に位置する第一導電端子と第二導電端子を含み、前記第一導線が、第一導電端子と第二導電端子が所属する直線を沿って通りぬけ、且つ、第一導電端子及び第二導電端子と、電気的に接続していることが好ましい。
【０００７】
前記導電端子が少なくとも下記の構成部分、即ち、第一導電端子、第二導電端子、第三導電端子と第四導電端子を含む。前記導線セットが少なくとも下記の構成部分、即ち、第一導線と第二導線を含み、前記第二導線が、相次いですべてのＬＥＤ部品上の第三導電端子と第四導電端子に接続し、且つ、第一導電端子と第二導電端子が所属する直線が、第三導電端子と第四導電端子が所属する直線と平行していることが好ましい。
【０００８】
前記端子が下記の構成部分、即ち、第一導電端子、第二導電端子、第三導電端子、第四導電端子、第五導電端子と第六導電端子を含み、且つ、前記導線セットが下記の構成部分、即ち、第一導線、第二導線と第三導線を含み、前記第二導線が、相次いですべてのＬＥＤ部品上の第三導電端子と第四導電端子に接続していて、前記第三導線が、相次いですべてのＬＥＤ部品上の第五導電端子と第六導電端子に接続している、その上、第一導電端子と第二導電端子が所属する直線、第三導電端子と第四導電端子が所属する直線及び  第五導電端子と第六導電端子が所属する直線が、互いに平行していることが好ましい。
【０００９】
前記絶縁本体に、二つの切り欠きが設置されていて、且つ、前記二つの切り欠きが、絶縁本体の相対的な両側に設置されている；その中で、導線セットが下記の構成部分、即ち、その中の一つの切り欠きを通り抜ける第一導線と、その他の一つの切り欠きを通りぬける第四導線を含み、且つ、第一導線と第四導線が、当該切り欠き位置で切断部を形成することが好ましい。
【００１０】
前記導電端子が下記の構成部分、即ち、第一導電端子、第二導電端子、第三導電端子、第四導電端子、第五導電端子、第六導電端子、第七導電端子と第八導電端子を含み、前記導線セットが下記の構成部分、即ち、第一導線、第二導線、第二導線と第三導線を含み、前記第一導線が、その中の一つの切り欠き両側に位置する第一導電端子と第二導電端子を通りぬけ、且つ、前記切り欠き位置で切断部を形成する、前記第二導線が、相次いですべてのＬＥＤ部品上の第三導電端子と第四導電端子に接続していて、前記第三導線が、相次いですべてのＬＥＤ部品上の第五導電端子と第六導電端子を通りぬけ、前記第四導線が、その中の一つの切り欠き両側に位置する第七導電端子と第八導電端子を通りぬけ、且つ、前記切り欠き位置で切断部を形成する；第一導電端子と第二導電端子が所属する直線、第三導電端子と第四導電端子が所属する直線、第五導電端子と第六導電端子が所属する直線及び  第七導電端子と第八導電端子が所属する直線が、互いに平行していることが好ましい。
【００１１】
前記問題点を解決でき、上記目的を達成するために、本考案のＬＥＤラインライトに用いられるＬＥＤ部品、下記の構成部分、即ち、絶縁本体、絶縁本体に固定され、且つ、ＬＥＤラインライトの導線セットに接続する導電端子及び、絶縁本体に設置されている発光ＬＥＤチップと制御ユニットを含み、その上、前記絶縁本体に、内へ凹む切り欠きが設置されていて、当該切り欠きの両側に、それぞれ導電端子が設置されている。
【００１２】
前記絶縁本体の表面に、内へ凹む格納チャンバーが設置されていて、当該格納チャンバー内に、前記導電端子に対応する導電チップが設置されている、前記切り欠きが、格納チャンバーの位置を避け、且つ、絶縁本体の表面と底面を貫通することが好ましい。
前記導電端子が下記の構成部分、即ち、切り欠き両側に位置する第一導電端子と第二導電端子を含み、且つ、第一導電端子と第二導電端子が所属する直線が切り欠きを通りぬけることが好ましい。
【００１３】
前記絶縁本体に、二つの切り欠きが設置されていて、且つ、この二つの切り欠きが、絶縁本体の相対的な両側に設置されていることが好ましい。
【考案の効果】
【００１４】
前記技術手段の実施により、本考案と既存の技術と比較して、下記の効果・利益がある。
【００１５】
本考案は、ＬＥＤ部品の絶縁本体に、内へ凹む一つの切り欠きを予めて形成して、当該切り欠きを利用して、後で相応な接続導線をせん断する為に、相応なせん断位置を提供する。これで、直列信号で接続するＬＥＤラインライトを生産する時に、まずＬＥＤ部品と相応な連続導線を直接に表面実装プロセスで溶接してから、カッター等のツールを使用して、事前に保留する切り欠き位置で、当該切り欠き位置を通り抜ける導線をせん断することができる。これでＬＥＤラインライトにおいて、表面実装溶接作業を高速で完成できる。せん断作業を、人工又は自動化作業で高速で完成することもでき、これで、生産効率を向上させると同時に、製品の良品率も向上させる。
【図面の簡単な説明】
【００１６】
【図１】本考案におけるＬＥＤ部品実施形態１の立体図である。
【図２】本考案におけるＬＥＤ部品実施形態１のその他の視角での立体図である。
【図３】本考案におけるＬＥＤ部品実施形態１の模式図である。
【図４】本考案におけるＬＥＤ部品実施形態２の立体図である。
【図５】本考案におけるＬＥＤ部品実施形態２のその他の視角での立体図である。
【図６】本考案におけるＬＥＤ部品実施形態３の立体図である。
【図７】本考案におけるＬＥＤ部品実施形態４の立体図である。
【図８】本考案におけるＬＥＤラインライト実施形態１の正面図である。
【図９】本考案におけるＬＥＤラインライト実施形態１の背面図である。
【図１０】本考案におけるＬＥＤラインライト実施形態１の製作フロー図である。
【図１１】本考案におけるＬＥＤラインライト実施形態１のカプセル化後の模式図である。
【図１２】本考案におけるＬＥＤラインライト実施形態２の背面図である。
【考案を実施するための形態】
【００１７】
以下、本考案の実施の形態について、図面を参照して詳細に説明する。
【００１８】
説明する為に、まず本考案のＬＥＤ部品を説明する。図１〜３で示す通り、本考案のＬＥＤ部品の実施形態１であり、下記の構成部分、即ち、絶縁本体１、絶縁本体１に固定される導電端子２、及び発光に用いられるＬＥＤチップ４と制御ユニット５を含む。
【００１９】
前記絶縁本体１が、プラスチック又は陶磁等の絶縁材料製であり、絶縁本体１の表面で下へ凹むことによって、一つの格納チャンバー１０を形成する。当該格納チャンバーは、ＬＥＤチップ４の設置に用いられる。制御ユニット５の制御チップ等のコンポーネントとし、且つ、最終にプラスチック樹脂等の材料を通じて、全体的な格納チャンバー１０をカプセル化する。前記絶縁本体１に、内へ凹む切り欠き１１が設置されている。前記切り欠き１１が、格納チャンバー１０の位置を避け、且つ、絶縁本体１の表面と底面を貫通する。図１で示すように、前記切り欠き１１が一つの「凹み」字造形を呈して、下記の構成部分、即ち、相対的に開口する方向における底面１１１、底面１１１の左右両側に位置している左側の側面１１２と右側の側面１１３を含む。言い換えれば、切り欠き１１が、格納チャンバー１０に介入せず、格納チャンバー１０が、相変わらず一つの周辺が密封する凹み区域であり、切り欠き１１の設置が、後続ＬＥＤのカプセル化プロセスに影響しない。
【００２０】
前記導電端子２が金属材料製であり、導電端子２が、絶縁本体１と、一体成形の方式で、固定結合になることができる。各導電端子２の一端が、格納チャンバー１０の底面に露出して  接触端とする；導電端子２のその他の一端が、絶縁本体１の外表面まで伸びて  溶接部を形成する。ＬＥＤチップ４と制御ユニット５が、導線を通じて、溶接部と溶接して、発光制御回路を形成する。
【００２１】
通常の状況の下、当該考案における導電端子２が、少なくとも４つの導電端子を有する。その中の二つの導電端子が、電源の正負電極として、その他のグループは、信号電極とする。本実施形態の中で、６つの導電端子が設置されていて、それぞれ下記の通り、即ち、第一導電端子２１、第二導電端子２２、第三導電端子２３、第四導電端子２４、第五導電端子２５と第六導電端子２６である。その６つの導電端子の中で、第一導電端子２１と第二導電端子２２が信号電極とし、第三導電端子２３、第四導電端子２４、第五導電端子２５と第六導電端子２６が、それぞれ電源の正負電極とする。図２で示すように、第一導電端子２１と第二導電端子２２が、切り欠き１１の両側に位置していて、即ち、第一導電端子２１と第二導電端子２２が所属する直線Ｌが切り欠き１１を通りぬけることによって、後続のせん断を便利にする。これと同時に、この６つの導電端子の中で、第一導電端子２１と第二導電端子２２が所属する直線Ｌ、第三導電端子２３と第四導電端子２４が所属する直線及び第五導電端子２５と第六導電端子２６が所属する直線が、互いに平行していることによって、後続の溶接作業を便利にする；三つの導線が、それぞれ第一導電端子２１と第二導電端子２２、第三導電端子２３と第四導電端子２４、第五導電端子２５と第六導電端子２６を通りぬけて、溶接した後、相応な導線を、切り欠き１１の位置からせん断する。
【００２２】
図３で示すように、生産時に、例えば、ＲＧＢ三色のＬＥＤチップ４と制御ユニット５等のコンポーネントを、格納チャンバー１０に固定し、且つ、導線を通してこれを、各ピンの接触端に接続してから、最後にカプセル化用の透明プラスチック材料を、格納チャンバーに注入することによって、カプセル化を完成して、ＬＥＤ部品を形成する。若干のＬＥＤ部品と導線を、当該表面実装で溶接した後、最後に相応なＬＥＤ器件における切り欠き１１位置の導線をせん断するだけで良い。勿論先にせん断してから、最後に全体的なカプセル化を行っても良い。
【００２３】
図４と図５で示す通り、これは、本考案のＬＥＤ部品の実施形態２であり、前記実施形態１との相違点が、前記導電端子２が、８つの導電端子を有することである。前記絶縁本体１に、絶縁本体１を貫通する二つの切り欠き１１が設置されていて、且つ、この二つの切り欠き１１が、絶縁本体１の相対的な両側に設置されている。これは、一層複雑な電気回路のＬＥＤ部品の製品に対して設計されたものである。
【００２４】
本考案の切り欠き１１の形状と大きさが、必要に応じて設計されることができ、ある具体的な造形が限定されない；格納チャンバーの合理的なＬＥＤチップ等のコンポーネントの取付に影響を与えない状況の下で、後続のカッター又は鋏の為に、一つの十分なスペースを保留するだけで良い。
【００２５】
図６と図７で示す通り、これは、本考案のＬＥＤ部品の実施形態３と４である。この二つの実施形態が、皆直接カプセル化プロセスのＬＥＤ部品を採用して、絶縁本体１の表面で格納チャンバーを設置する必要がなく、ＬＥＤチップ４と制御ユニット５等のコンポーネントを、直接に絶縁本体１表面に設置してから、プラスチック樹脂等の材料で、ＬＥＤチップ４と制御ユニット５等のコンポーネントをカプセル化する。
【００２６】
図８と図９で示す通り、これは、本考案のＬＥＤラインライトの実施形態１であり、下記の構成部分、即ち、複数の前記ＬＥＤ部品及び複数のＬＥＤ部品を接続してＬＥＤラインライトを形成する導線セットを含む。
【００２７】
本実施形態１の中のＬＥＤラインライトが、前記ＬＥＤ部品の実施形態１を応用する。即ち、当該ＬＥＤ部品が、６つの導電端子を採用して設計されたものである。図１０で示す通り、前記導電端子２が下記の構成部分、即ち、第一導電端子２１、第二導電端子２２、第三導電端子２３、第四導電端子２４、第五導電端子２５と第六導電端子２６を含む。前記導線セットが下記の構成部分、即ち、第一導線３１、第二導線３２と第三導線３３を含む。前記第一導線３１が、切り欠き１１を通りぬけ、且つ、第一導電端子２１及び第二導電端子２２と、電気的に接続している。これと同時に、当該第一導線３１が、前記切り欠き１１位置で切断部３１０を形成する。前記第二導線３２が、相次いですべてのＬＥＤ部品上の第三導電端子２３と第四導電端子２４に接続していて、前記第三導線３３が、相次いですべてのＬＥＤ部品上の第五導電端子２５と第六導電端子２６に接続している、それに加えて、第一導電端子２１と第二導電端子２２が所属する直線、第三導電端子２３と第四導電端子２４が所属する直線及び  第五導電端子２５と第六導電端子２６が所属する直線が、互いに平行している。即ち、第一、第二と第三導線が、互いに平行する方式で、導電端子に溶接されている。この設計は、表面実装式溶接作業を便利する為である。
【００２８】
本考案のＬＥＤラインライトの製造方法は、導線セットを通じて、複数のＬＥＤ部品を接続して、ＬＥＤラインライトを形成する。各ＬＥＤ部品に、内へ凹む一つの切り欠きを形成するので、まずＬＥＤ部品が、溶接方式で、導線セットに固定された後、導線セットの中で、少なくとも一本の、当該切り欠きを通す第一導線が含まれるようにする。これからカッター等を使用して、事前に保留する切り欠きの位置で、当該切り欠き位置を通り抜ける第一導線をせん断し、通り抜けないその他の導線をせん断しない。製造プロセス中において、各ＬＥＤ部品が、導線セットに溶接された後、カーターで、切り欠き位置において第一導線を切断するか、又は  すべてのＬＥＤ部品を、全部導線セットに溶接した後、カーターで、各ＬＥＤ部品の切り欠き位置の第一導線をそれぞれ切断する。
【００２９】
図１０で示すように、これは、ＬＥＤラインライト実施形態１の製作フロー図であり、導線セットの中での第一導線、第二導線と第三導線について、プラスチック被覆層のある扁平型ケーブル３０を採用してから、扁平型ケーブル３０における相応的なＬＥＤ部品の取付位置３００の箇所で被覆層を除去することによって、その裏にある三本の導線を露出させることができる。溶接時に、直接表面実装式溶接作業を採用しても良い。取付位置３００における三本の導線に、半田を付け、各取付位置３００に、相応的にＬＥＤ部品を貼り付けてから、加熱した後、ＬＥＤ部品と扁平型ケーブル３０を一体に溶接することができる。溶接プロセス中において、各導線が相応な端子に対応するのを確保しなければならない。前記のべた通り、本考案は、直列接続信号の伝送を実現することができるので、導線セットがＬＥＤ部品に給電する電源ケーブル及び制御信号伝送用データ線を含む。その中で、前記第一導線がデータ線であり、第二導線と第三導線が電源ケーブルである。相応的に、第一導電端子２１と第二導電端子２２を、信号伝送電極とする（信号入力ＤＩＮ端末と信号出力ＤＯＵＴ端末）、第三導電端子２３、第四導電端子２４、第五導電端子２５と第六導電端子２６を電源接続の電極端子とする  （電源のＶＣＣ端子とＧＮＤ端子）。
【００３０】
溶接を完成した後、自動化カッター又は人工ブラケットを通じて、切り欠き１１の位置において、第一導線３１における切り欠き１１箇所の部分を切断し、且つ、当該第一導線３１における切り欠き１１箇所で、切断部３１０を形成する。これでＬＥＤラインライトを形成する。最後に、カプセル化プロセスを通じて、ＬＥＤラインライトにおける、ＬＥＤ部品が設置されている位置を、樹脂材料でカプセル化する（図１１で示す通りである）。
【００３１】
前記実施形態１において、一本の直列接続信号線（即ち、第一導線３１）で、信号制御を行うだけで良い。信号線が、第一導電端子２１と第二導電端子２２を通して、ＬＥＤ部品の中の制御ユニットに接続し、外部の制御信号が、信号ケーブルを通して直列接続伝送を行う。但し、幾つかの一層複雑なＬＥＤラインライト製品にとって、二本の直列接続信号線が必要である。図１２で示す通り、本ＬＥＤラインライトが採用するＬＥＤ部品が８つの導電端子を有する。前記絶縁本体１に、絶縁本体１を貫通する二つの切り欠き１１が設置されていて、且つ、この二つの切り欠き１１が、絶縁本体１の相対的な両側に設置されている。前記二つの切り欠き１１が、絶縁本体１の相対的な両側に設置されている。その中で、第一導線３１が、その中の一つの切り欠き１１を通りぬけ、第四導線３４が、その他の一つの切り欠き１１を通りぬけ、且つ、切り欠き１１位置で切断部を形成する。
【００３２】
本実施形態における導電端子２が下記の構成部分、即ち、第一導電端子２１、第二導電端子２２、第三導電端子２３、第四導電端子２４、第五導電端子２５、第六導電端子２６、第七導電端子と第八導電端子を含む；前記導線セットが下記の構成部分、即ち、第一導線３１、第二導線３２、第三導線３３と第四導線３４を含む。前記実施形態との相違点は下記の通りである。前記第四導線３４が、その他の切り欠き１１両側に位置している第七導電端子２７と第八導電端子２８を通りぬけ、且つ、当該切り欠き１１位置で切断部を形成する。その他の部分が、前記実施形態と同じであるので、ここでくどくど述べない。
【００３３】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３４】
１     絶縁本体
２     導電端子
４     ＬＥＤチップ
５     制御ユニット
１０   格納チャンバー
１１   切り欠き
１１１ 底面
１１２ 左側の側面
１１３ 右側の側面
２１   第一導電端子
２２   第二導電端子
２３   第三導電端子
２４   第四導電端子
２５   第五導電端子
２６   第六導電端子
２７   第七導電端子
２８   第八導電端子
３０   扁平型ケーブル
３１   第一導線
３２   第二導線
３３   第三導線
３４   第四導線
３１０ 切断部
３００ 取付位置
【図１】
0003234434.tif 000003
【図２】
0003234434.tif 000004
【図３】
0003234434.tif 000005
【図４】
0003234434.tif 000006
【図５】
0003234434.tif 000007
【図６】
0003234434.tif 000008
【図７】
0003234434.tif 000009
【図８】
0003234434.tif 000010
【図９】
0003234434.tif 000011
【図１０】
0003234434.tif 000012
【図１１】
0003234434.tif 000013
【図１２】
0003234434.tif 000014